(57)【要約】【課題】住所を効果的に記録することができ、タクシードライバに対して口頭で述べなくてもタクシードライバに行き先の住所を伝えることが可能な住所変換器及びそれを有する住所解析システムの提供。【解決手段】本発明に係る住所変換器は、住所入力モジュールと、変換処理モジュールと、コード出力モジュールとを含む。住所解析システムは、さらに、車載用住所解析装置を含み、またコード受信モジュールと車内処理モジュールとを含む。まず住所情報は、住所入力モジュールにより受信され、次に変換処理モジュールにより住所情報が住所コード情報へ変換されてコード出力モジュールにより出力される。コード受信モジュールは、出力された住所コード情報を受信し、住所コード情報は、車内処理モジュールにより完全な住所に解析される。【選択図】図１
2015118364.tif 000002
【特許請求の範囲】
【請求項１】
住所情報を変換し、変換された前記住所情報を車載用住所解析装置へ出力する住所変換器において、
前記車載用住所解析装置は、コード受信モジュールと、前記コード受信モジュールに接続される車内処理モジュールとを含み、変換された前記住所情報は、前記コード受信モジュールにより受信され、前記車内処理モジュールにより前記住所情報に対応する完全な住所に解析され、
前記住所変換器は、住所入力モジュールと、変換処理モジュールと、コード出力モジュールとを含み、
前記住所入力モジュールは、前記住所情報を受信し、
前記変換処理モジュールは、前記住所入力モジュールに接続され、前記住所情報を受信して住所コード情報へ変換し、
前記コード出力モジュールは、前記変換処理モジュールに接続され、かつ前記車載用住所解析装置に信号接続されることにより、前記住所コード情報を受信して前記車載用住所解析装置へ出力し、前記車載用住所解析装置の前記コード受信モジュールにより前記住所コード情報が受信されることを特徴とする住所変換器。
【請求項２】
前記住所入力モジュールは、入力インターフェースを含み、前記入力インターフェースにより、ユーザが前記住所情報を手書き入力して前記変換処理モジュールへ送信することを特徴とする請求項１に記載の住所変換器。
【請求項３】
前記住所入力モジュールは、画像捕捉ユニットを含み、
前記画像捕捉ユニットは、前記住所情報を有する画像データを捕捉して前記変換処理モジュールへ送信し、
前記変換処理モジュールにより前記画像データが対応する前記住所情報を分析することを特徴とする請求項１に記載の住所変換器。
【請求項４】
前記住所入力モジュールは、さらに、地域地図ユニットを含み、
前記地域地図ユニットにより、ユーザが、前記地域地図ユニットがカバーする、前記住所情報を有する位置座標を選び、前記位置座標を前記変換処理モジュールへ送信し、
前記変換処理モジュールは、前記位置座標が対応する前記住所情報を分析することを特徴とする請求項１に記載の住所変換器。
【請求項５】
前記住所変換器は、さらに、記憶モジュールを含み、
前記記憶モジュールは、前記変換処理モジュールに接続され、前記変換処理モジュールが受信した前記住所情報を格納することを特徴とする請求項１〜４のいずれか１項に記載の住所変換器。
【請求項６】
住所情報を変換し、変換された前記住所情報を出力して解析する住所解析システムにおいて、
前記住所解析システムは、住所変換器と車載用住所解析装置とを含み、
前記住所変換器は、住所入力モジュールと、変換処理モジュールと、コード出力モジュールとを含み、
前記住所入力モジュールは、前記住所情報を受信し、
前記変換処理モジュールは、前記住所入力モジュールに接続され、前記住所情報を受信して住所コード情報へ変換し、
前記コード出力モジュールは、前記変換処理モジュールに接続され、前記住所コード情報を受信して出力し、
前記車載用住所解析装置は、コード受信モジュールと、車内処理モジュールとを含み、
前記コード受信モジュールは、前記コード出力モジュールから出力された前記住所コード情報を受信し、
前記車内処理モジュールは、前記コード受信モジュールに接続され、前記住所コード情報を受信して前記住所情報に対応する完全な住所に解析することを特徴とする住所解析システム。
【請求項７】
前記コード出力モジュールは、表示インターフェースを含み、
前記住所コード情報は、画像コードであり、
前記表示インターフェースに前記画像コードを表示し、
前記コード受信モジュールは、画像走査ユニットを含み、
前記画像走査ユニットは、前記画像コードを走査して前記車内処理モジュールへ送信し、
前記コード受信モジュールは、前記画像コードを解析することを特徴とする請求項６に記載の住所解析システム。
【請求項８】
前記画像コードは、マトリックスコードであることを特徴とする請求項７に記載の住所解析システム。
【請求項９】
前記コード出力モジュールは、近距離通信送信ユニットを含み、
前記コード受信モジュールは、近距離通信受信ユニットを含み、
前記近距離通信送信ユニットと前記近距離通信受信ユニットとは、相互に信号接続され、前記住所コード情報を送受信することを特徴とする請求項６に記載の住所解析システム。
【請求項１０】
前記コード出力モジュールは、音声送信ユニットを含み、
前記住所コード情報は、音声コードであり、
前記コード受信モジュールは、音声受信ユニットを含み、
前記音声コードは、前記音声送信ユニットにより出力され、前記音声受信ユニットにより受信されることを特徴とする請求項６に記載の住所解析システム。
【請求項１１】
前記車載用住所解析装置は、さらに、再生モジュールを含み、
前記再生モジュールは、前記車内処理モジュールに接続され、前記完全な住所を受信して再生することを特徴とする請求項６〜１０のいずれか１項に記載の住所解析システム。
【請求項１２】
前記再生モジュールは、さらに、再生スピーカを含み、
前記再生スピーカは、前記車内処理モジュールに接続されて駆動されることで、前記完全な住所に対応する音声データを再生することを特徴とする請求項１１に記載の住所解析システム。
【請求項１３】
前記再生モジュールは、さらに、再生画面を含み、
前記再生画面は、前記車内処理モジュールに接続されて駆動されることで、前記完全な住所に対応する文字データを表示することを特徴とする請求項１１に記載の住所解析システム。
【発明の詳細な説明】
【技術分野】
【０００１】
本発明は、車載用住所解析装置の設置してある車両が住所情報を受信するための住所変換器及びそれを有する住所解析システムに関する。
【背景技術】
【０００２】
タクシーの普及に伴い、人々に搭乗の選択肢が多く提供されている。乗客は、行き先を説明するだけで、タクシードライバによって目的地まで運んでもらえるため、便利だけでなく、公共交通機関での待ち時間や乗り換える手間を省けることができる。また、外国人にとって、公共交通機関のルートに詳しくない時、タクシーを利用すれば、複雑な乗り換えを避けることができ、交通上の利便性が高い。
【０００３】
しかしながら、タクシードライバは、異なる出身地であれば、異なる方言やイントネーションでコミュニケーションを取る。乗客とのコミュニケーションに影響が出る場合、タクシードライバは、乗客が行きたい住所を間違える可能性がある。特にタクシードライバが外国人乗客の国の言語を習得していない場合、互いにコミュニケーションをとることができず、不便である。
【０００４】
また、定期的に一定の場所に行く乗客にとって、タクシーに乗る度に同じ目的地を説明することは、面倒である。又、一部の商店は、集客のため、住所をマトリックスコード（ＱＲコード、Ｑｕｉｃｋ Ｒｅｓｐｏｎｓｅ Ｃｏｄｅ）に変換することにより、顧客はスマートフォンで商店の住所を読み出し又は一時保存することができるようになる。しかし、乗客は、タクシーでスマートフォンに住所が一時保存されている商店へ行きたい時、タクシードライバに対し口頭で住所を述べなければならない。そのため、スマートフォンは、ただ記録ツールとして使用され、住所を伝える助けとなる効果的な道具として使うことができない。
【０００５】
一方、最近、無人運転技術が新しく発展している。無人運転技術がタクシー分野に応用される場合、乗客は行き先の住所をどう伝えるかが１つの問題となる。
【発明の概要】
【発明が解決しようとする課題】
【０００６】
従って、本発明の主な懸念事項は、どのようにして乗客が気楽にタクシードライバに行き先の住所を伝え、また互いの言語の壁により生じた、行き先の住所を伝える際の問題や不便を効果的に解決することができるかにある。また、本発明のもう１つの主な懸念事項は、どのようにして行き先の住所を効果的に記録することで、タクシードライバに対して口頭で述べなくても直接伝わり、さらに無人運転技術を用いたタクシーにさえ簡単に住所を直接送信することが可能になるかにある。
【課題を解決するための手段】
【０００７】
本発明の１つの目的は、住所を効果的に記録可能な住所変換器及びそれを有する住所解析システムを提供することにある。
【０００８】
本発明のもう１つの目的は、タクシードライバに対して口頭で述べなくてもタクシードライバに行き先の住所を伝えることが可能な住所変換器及びそれを有する住所解析システムを提供することにある。
【０００９】
本発明のさらに１つの目的は、無人運転技術を用いたタクシーでも簡単に行き先の住所を直接送信可能な住所変換器及びそれを有する住所解析システムを提供することにある。
【００１０】
本発明のもう１つの目的は、言葉の壁により生じた、行き先の住所を伝える際の問題と不便を効果的に解決可能な住所解析システムを提供することにある。
【００１１】
本発明に係る住所変換器は、住所情報を変換し、変換された前記住所情報を車載用住所解析装置へ出力する。前記車載用住所解析装置は、コード受信モジュールと、前記コード受信モジュールに接続される車内処理モジュールとを含み、変換された前記住所情報は、前記コード受信モジュールにより受信され、前記車内処理モジュールにより前記住所情報に対応する完全な住所に解析され、前記住所変換器は、住所入力モジュールと、変換処理モジュールと、コード出力モジュールとを含み、前記住所入力モジュールは、前記住所情報を受信し、前記変換処理モジュールは、前記住所入力モジュールに接続され、前記住所情報を受信して住所コード情報へ変換し、前記コード出力モジュールは、前記変換処理モジュールに接続され、かつ前記車載用住所解析装置に信号接続されることにより、前記住所コード情報を受信して前記車載用住所解析装置へ出力し、前記車載用住所解析装置の前記コード受信モジュールにより前記住所コード情報が受信される。
【００１２】
本発明に係る住所解析システムは、住所情報を変換し、変換された前記住所情報を出力して解析する。前記住所解析システムは、住所変換器と車載用住所解析装置を含み、前記住所変換器は、住所入力モジュールと、変換処理モジュールと、コード出力モジュールとを含み、前記住所入力モジュールは、前記住所情報を受信し、前記変換処理モジュールは、前記住所入力モジュールに接続され、前記住所情報を受信して住所コード情報へ変換し、前記コード出力モジュールは、前記変換処理モジュールに接続され、前記住所コード情報を受信して出力し、前記車載用住所解析装置は、コード受信モジュールと、車内処理モジュールとを含み、前記コード受信モジュールは、前記コード出力モジュールから出力された前記住所コード情報を受信し、前記車内処理モジュールは、前記コード受信モジュールに接続され、前記住所コード情報を受信して前記住所情報に対応する完全な住所に解析する。
【発明の効果】
【００１３】
本発明の住所変換器及びそれを有する住所解析システムでは、住所入力モジュールにより住所情報を受信して、変換処理モジュールにより住所情報を住所コード情報へ変換することにより、住所コード情報を格納し、かつコード出力モジュールにより出力することができる。ユーザがタクシーに乗る時、コード受信モジュールにより住所コード情報を受信し、また車載用住所解析装置により住所コード情報を完全な住所に解析するだけで済む。任意の住所を効果的に記録できるだけでなく、住所変換器により車載用住所解析装置に住所情報を直接出力できるため、口頭で述べることなく、タクシードライバに対して行きたい目的地を伝えることができる。また、本発明は、言葉の壁により生じた、行き先の住所を伝える際の問題や不便を効果的に解決することができる。さらに、無人運転技術を用いたタクシーにさえ応用することができるため、住所伝達の利便性が高く、上記目的を達成することができる。
【図面の簡単な説明】
【００１４】
【図１】図１は、本発明の第１実施例に係る住所変換器及びそれを有する住所解析システムを示すブロック図である。
【図２】図２は、図１に示す住所変換器のタッチスクリーンにある入力インターフェース及び表示インターフェースを示す概略図である。
【図３】図３は、本発明の第１実施例に係る住所解析方法を示すフローチャートである。
【図４】図４は、図２に示す住所変換器の表示インターフェースに表示される画像コードを示す概略図である。
【図５】図５は、図１に示す住所変換器及びそれを有する住所解析システムに記憶モジュールが追加される構造を示すブロック図である。
【図６】図６は、図５に示す住所変換器により作成された複数の画像コードを示す概略図である。
【図７】図７は、本発明の第２実施例に係る住所変換器及びそれを有する住所解析システムを示すブロック図である。
【図８】図８は、図７に示す住所変換器が有する画像捕捉ユニットを示す概略図である。
【図９】図９は、本発明の第２実施例に係る住所解析方法を示すフローチャートである。
【図１０】図１０は、本発明の第３実施例に係る住所変換器及びそれを有する住所解析システムを示すブロック図である。
【図１１】図１１は、図１０に示す住所変換器が有する地域地図ユニットを示す概略図である。
【図１２】図１２は、図１１に示す住所変換器が有する音声送信ユニット及びそれが音声ケーブルにより接続されることを示す概略図である。
【図１３】図１３は、本発明の第３実施例に係る住所解析方法を示すフローチャートである。
【発明を実施するための形態】
【００１５】
本発明に係る住所解析システムは、ユーザが住所情報を記録及び共有することができるように、住所情報を変換するために用いられる。本発明の第１実施例において、図１及び図２に示すように、住所解析システムは、住所変換器１と車載用住所解析装置３とを含む。住所変換器１は、例えば、スマートフォンであり、対応する変換ソフトウェアが予めインストールされている。また、住所変換器１は、住所入力モジュール１１と、変換処理モジュール１３と、コード出力モジュール１５とを含む。変換処理モジュール１３は、住所入力モジュール１１とコード出力モジュール１５とに接続される。また、住所入力モジュール１１は、入力インターフェース１１１を含む。本実施例において、入力インターフェース１１１は、例えば、タッチスクリーンの手書き入力画面であり、ユーザが手書きで住所情報５を入力することができる。また、コード出力モジュール１５は、表示インターフェース１５１を含む。本実施例において、表示インターフェース１５１は、例えば、タッチスクリーンの表示領域である。
【００１６】
車載用住所解析装置３は、タクシーに設置され、コード受信モジュール３１と、車内処理モジュール３３と、再生モジュール３５とを含む。車内処理モジュール３３は、コード受信モジュール３１と再生モジュール３５とに接続される。また、コード受信モジュール３１は、画像走査ユニット３１１を含み、再生モジュール３５は、再生スピーカ３５１を含む。
【００１７】
図３に示すフローチャートのように、本発明に係る住所解析方法は、まず、ステップ３０１において、ユーザは、住所変換器１の入力インターフェース１１１から、住所情報５を手書きで入力する。次いで、ステップ３０２において、変換処理モジュール１３は、住所情報５を受信し、住所コード情報へ変換する。本実施例において、住所コード情報は、例えば、画像コード１３１であり、具体的に、例えば二次元のマトリックスコード（ＱＲコード、Ｑｕｉｃｋ Ｒｅｓｐｏｎｓｅ Ｃｏｄｅ）であってもよい。
【００１８】
次に、ステップ３０３において、また図４に示すように、表示インターフェース１５１は、変換後の画像コード１３１を表示する。続いて、ステップ３０４において、ユーザは、車載用住所解析装置３の設置してあるタクシーに乗った後、表示インターフェース１５１に表示されている画像コード１３１を車載用住所解析装置３の画像走査ユニット３１１に向けて、画像走査ユニット３１１によって画像コード１３１を走査する。次に、ステップ３０５において、画像コード１３１は、車内処理モジュール３３に送信され、住所情報５に対応する完全な住所に解析される。最後に、ステップ３０６において、車内処理モジュール３３は、再生モジュール３５の再生スピーカ３５１を駆動して、完全な住所に対応する音声データを再生させることにより、ユーザが確認したり、ドライバに行きたい目的地を知らせたりすることができる。
【００１９】
図５及び図６に示すように、本実施例に係る住所変換器１は、さらに、記憶モジュール１７を含んでもよい。ユーザは、記憶モジュール１７に格納されている複数の画像コード１３１のデータから直接選ぶことができるため、利便性が高い。
【００２０】
本発明の第２実施例において、図７及び図８に示すように、住所入力モジュール１１'は、例えば、撮影レンズである画像捕捉ユニット１１３'を含む。また、コード出力モジュール１５'は、近距離通信送信ユニット１５３'を含む。さらに、車載用住所解析装置３'のコード受信モジュール３１'は、近距離通信受信ユニット３１３'を含み、再生モジュール３５'は、再生画面３５３'を含む。近距離通信送信ユニット１５３'及び近距離通信受信ユニット３１３'は、それぞれ近距離通信技術（ＮＦＣ、Ｎｅａｒ Ｆｉｅｌｄ Ｃｏｍｍｕｎｉｃａｔｉｏｎ）を利用するものである。
【００２１】
図９に示すフローチャートのように、まず、ステップ６０１において、ユーザは、画像捕捉ユニット１１３'により、例えば、商店などに提供されている、住所情報を有するマトリックスコード６'の画像データを捕捉する。次に、ステップ６０２において、変換処理モジュール１３'は、画像データを受信し、マトリックスコード６'に含まれる住所情報を分析する。続いて、ステップ６０３において、住所情報を記憶モジュール１７'に格納する。ユーザは、他の場所からタクシーで画像データを撮った住所へ行きたい時、ステップ６０４のように、制御インターフェースにより、記憶モジュール１７'に格納されている住所情報から選ぶように変換処理モジュール１３'を制御する。
【００２２】
次に、ステップ６０５において、ユーザは、住所変換器１'の近距離通信送信ユニット１５３'と、車載用住所解析装置３'の近距離通信受信ユニット３１３'とを相互に信号接続させる。次いで、ステップ６０６において、近距離通信受信ユニット３１３'により近距離通信送信ユニット１５３'から出力された住所コード情報を受信する。次に、ステップ６０７で、住所コード情報は、車内処理モジュール３３'へ送られ、住所情報に対応する完全な住所に解析される。最後に、ステップ６０８において、車内処理モジュール３３'は、再生画面３５３'を駆動して、完全な住所に対応する文字データを再生させることにより、ユーザが確認したり、ドライバに行きたい目的地を知らせたりすることができる。
【００２３】
当然、本実施例に係る画像捕捉ユニット１１３'は、看板や案内の画像を捕捉し、その画像から住所情報を分析するように設計されてもよい。
【００２４】
本発明の第３実施例において、図１０〜１２に示すように、住所入力モジュール１１"は、地域地図ユニット１１５"を含む。地域地図ユニット１１５"は、インターネットから取得するか、又は住所変換器１"に格納されているものであってよい。コード出力モジュール１５"は、音声送信ユニット１５５"を含み、またコード受信モジュール３１"は、音声受信ユニット３１５"を含む。
【００２５】
図１３に示すフローチャートのように、ステップ９０１において、ユーザは、住所データを入力する時、地域地図ユニット１１５"がカバーする位置座標を選び、変換処理モジュール１３"へ送信する。各位置座標は、それに対応する住所データを有する。次に、ステップ９０２において、変換処理モジュールは、位置座標が対応する住所データを分析し、住所データを住所コード情報へ変換する。本実施例において、住所コード情報は、例えば、音声コード１３７"である。続いて、ステップ９０３において、ユーザは、例えば、音声ケーブルにより、音声送信ユニット１５５"と音声受信ユニット３１５"とを音声接続させる。ステップ９０４において、音声受信ユニット３１５"は、音声送信ユニット１５５"から出力された音声コード１３７"を受信する。音声コード１３７"は、同様に車内処理モジュール３３"により住所に解析される。
【００２６】
本発明に係る住所変換器及びそれを有する住所解析システムは、例えば、スマートフォンを利用するものである。住所変換器は、住所情報を受信して住所コード情報へ変換することにより、住所コード情報を格納し、かつコード出力モジュールにより出力することができる。タクシーに乗る時、住所コード情報を車載用住所解析装置によって受信し、完全な住所に解析する。多数の住所情報がある場合、記憶モジュールによって多数の住所情報を格納することもできる。ユーザは、多数の住所情報から直接選ぶことができるため、利便性が高い。
【００２７】
一方、住所変換器により車載用住所解析装置へ住所情報を出力することができるため、口頭で述べなくても、タクシードライバに対して行きたい目的地を伝えることができる。また、本発明は、言葉の壁により生じた、行き先の住所を伝える際の問題や不便を効果的に解決することができるため、無人運転技術を用いたタクシーに応用することができる。この場合、住所変換器により住所情報を車載用住所解析装置へ出力するだけで住所を伝えることができるため、住所伝達の利便性が高くて、本発明の目的を達成することができる。
【００２８】
以上に説明したのは、本発明の好適な実施例であって、本発明を制限するためのものではない。添付の特許請求の範囲の精神及び範囲内に含まれる種々の変更や類似の構成は、すべて最も広い解釈によって本発明の保護範囲内に含まれる。
【符号の説明】
【００２９】
１、１'、１"  住所変換器
１１、１１'、１１"  住所入力モジュール
１１１  入力インターフェース
１１３'  画像捕捉ユニット
１１５"  地域地図ユニット
１３、１３'、１３"  変換処理モジュール
１３１  画像コード
１３７"  音声コード
１５、１５'、１５"  コード出力モジュール
１５１  表示インターフェース
１５３'  近距離通信送信ユニット
１５５"  音声送信ユニット
１７、１７'  記憶モジュール
３、３'  車載用住所解析装置
３１、３１'、３１"  コード受信モジュール
３１１  画像走査ユニット
３１３'  近距離通信受信ユニット
３１５"  音声受信ユニット
３３、３３'、３３"  車内処理モジュール
３５、３５'  再生モジュール
３５３'  再生画面
３５１  再生スピーカ
５  住所情報
６'  マトリックスコード
【図１】
2015118364.tif 000003
【図２】
2015118364.tif 000004
【図３】
2015118364.tif 000005
【図４】
2015118364.tif 000006
【図５】
2015118364.tif 000007
【図６】
2015118364.tif 000008
【図７】
2015118364.tif 000009
【図８】
2015118364.tif 000010
【図９】
2015118364.tif 000011
【図１０】
2015118364.tif 000012
【図１１】
2015118364.tif 000013
【図１２】
2015118364.tif 000014
【図１３】
2015118364.tif 000015